(57)【要約】【課題】低コストで効果的な洗浄が可能なスクリーン版の洗浄装置及びその洗浄方法を実現する。【解決手段】本発明は、洗浄ノズルを周期的に揺動させて洗浄室内にセットされたスクリーン版の洗浄面を洗浄するスクリーン版の洗浄装置であって、複数の洗浄ノズルにおける隣接する洗浄ノズルの取付角に差を設けたスクリーン版の洗浄装置を構成した。また、スクリーン版の表裏両側の洗浄面を洗浄するスクリーン版の洗浄装置の洗浄方法であって、表裏両側の洗浄ノズルにおける揺動周期に位相差を設けて洗浄するスクリーン版洗浄装置の洗浄方法を採用した。【選択図】        図１
2004230865.tif 000002
【特許請求の範囲】
【請求項１】
密封状態の洗浄室内で水平方向の送液管の周辺に放射方向に取り付けられた複数の洗浄ノズルから洗浄液を噴射して、該洗浄ノズルを周期的に揺動させて前記洗浄室内にセットされたスクリーン版の洗浄面を洗浄するスクリーン版の洗浄装置であって、
前記複数の洗浄ノズルにおける隣接する洗浄ノズルの取付角に差を設けたことを特徴とするスクリーン版の洗浄装置。
【請求項２】
密封状態の洗浄室内で水平方向の送液管の周辺に放射方向に取り付けられた洗浄ノズルから洗浄液を噴射して、該洗浄ノズルを周期的に揺動させて前記洗浄室内にセットされたスクリーン版の表裏両側の洗浄面を洗浄するスクリーン版の洗浄方法であって、
前記の表裏両側の洗浄ノズルにおける揺動周期に位相差を設けて洗浄することを特徴とするスクリーン版の洗浄方法。
【発明の詳細な説明】
【０００１】
【発明の属する技術分野】
この発明は、スクリーン印刷に使用するメタル版やメッシュ版などのスクリーン版の洗浄装置及びその洗浄方法の改良に関するものである。
【０００２】
【従来の技術】
出願人は、先にこの種のスクリーン版の洗浄装置の発明を特許出願し、特許第２９５５９９０号を取得した。この特許発明は同公報（図面による図示を省略）にも記載されているように、洗浄領域を設定した部分洗浄になっているので、洗浄液に無駄がなく効果的な洗浄を実施できる等の種々の効果が得られる特徴がある。上記の特許取得後も出願人会社においてはこの洗浄装置や洗浄方法に関する研究開発が継続的に行われた結果、対象装置に更に本願発明の改良が加えられて一層優れたスクリーン版の洗浄装置と洗浄方法を実現したものである。
【０００３】
ここで、上記従来の特許発明のスクリーン版の洗浄装置の構成と動作を、図７及び図８と図９に示す。但し、図８（ａ），（ｂ）では各段４個の洗浄ノズル１０７が示されている。各図に示すように、スリットｓを設けたスクリーン版１０１の両側の洗浄面を覆う洗浄ブース１０２の内部に、それぞれ軸方向に沿う同一放射面上に３個の洗浄ノズル１０７を取り付けた複数段（図では３段）の円筒状の送液管１０６が水平に設けられている。そして、洗浄ブース１０２により密封状態に保たれた洗浄室内の両側の複数の洗浄ノズル１０７を揺動させて、送液管１０６から送られた洗浄液１０３をセットされたスクリーン版１０１の両面に噴射させて洗浄が行われる。かくして、図８（ｂ）の斜線で示すように、両側の洗浄面内における相互に隣接する洗浄液１０３の投射像ｆの周辺部を重なり合わせて、漏れなく洗浄が実施できるようになっている。また、図９の拡大図で示すように、スクリーン版１０１の両側の洗浄ノズル１０７の揺動周期が、同期的に行われるような洗浄方法が採用されていた。（特許文献１参照）
【０００４】
【特許文献１】
特許第２９５５９９０号公報（第５頁、第１０，１１図ほか）
【０００５】
【発明が解決しようとする課題】
上記した従来の洗浄装置は上述のように、洗浄面内で形成される上下、左右に隣接する洗浄液１０３の投射像ｆの周辺部を重なり合わせるようになっていた。このため、隣同士の噴射が交差して圧力が弱められて、洗浄液１０３の洗浄力が低下することになる。その上、個々の洗浄ノズル１０７の同一洗浄面上の洗浄範囲が実質的に狭くなり、大型のスクリーン版１０１を洗浄する場合に洗浄ノズル１０７の数が多数必要になって全体装置が大型になり製作費がコストアップになることが予想できる。また、両側の洗浄ノズル１０７から洗浄液１０３が同期的に噴射されるので、図９に示すように噴射液が衝突して洗浄力が打ち消し合うことになる。したがって、特に、スリットｓの付近に到達した洗浄液１０３の洗浄力が弱められると、スリットｓ内にペーストのような付着物ｄが残留して、その後の電子部品の不良を誘発するという改良点が指摘されることになった（前記公報参照：但しスリット＝注入溝）。
【０００６】
本発明は、上述のような改良点に着目して、送液管上の洗浄ノズルの取付角に差を設けると共に、両側の洗浄ノズルの揺動周期に位相差を設定し、以て低コストで効果的な洗浄が可能なスクリーン版の洗浄装置及びその洗浄方法を実現したものである。
【０００７】
【課題を解決するための手段】
本発明は、密封状態の洗浄室内で水平方向の送液管の周辺に放射方向に取り付けられた複数の洗浄ノズルから洗浄液を噴射して、洗浄ノズルを周期的に揺動させて洗浄室内にセットされたスクリーン版の洗浄面を洗浄するスクリーン版の洗浄装置であって、複数の洗浄ノズルにおける隣接する洗浄ノズルの取付角に差を設けたスクリーン版の洗浄装置を構成したものである。
また、本発明は、密封状態の洗浄室内で水平方向の送液管の周辺に放射方向に取り付けられた洗浄ノズルから洗浄液を噴射して、洗浄ノズルを周期的に揺動させて洗浄室内にセットされたスクリーン版の表裏両側の洗浄面を洗浄するスクリーン版の洗浄方法であって、表裏両側の洗浄ノズルにおける揺動周期に位相差を設けて洗浄するスクリーン版の洗浄方法を採用したものである。
【０００８】
【発明の実施の形態】
実施の形態１
以下、先ず本発明の実施の形態１の構造を、図面を用いて説明する。
図１は本発明の実施の形態１の構成断面図、図２は図１の拡大斜視図、図３は揺動機構の側面図、図４は実施の形態１の要部の説明図である。
図１〜図４において、１はフランジ１ａを有するスクリーン版、２はスクリーン版１の左右に設けられた対称構造のフード状の洗浄ブース、３は洗浄液である。スクリーン版１の版面には貫通する多数のスリットＳ（図２，４）が形成されている。そして、洗浄ブース２（以下、複数併記を省略）の周辺部がスクリーン版１の表裏に接触して、図１，２のように両側の洗浄面が覆われて内部に洗浄室Ｒが形成されるようになっている。４は左右の洗浄ブース２における周辺の開口部の内側に設けられたパッキンガイド、５はパッキンガイド４に挟着して基部が保持されたパッキンである。
【０００９】
６は洗浄室内で水平方向に３段に設けられた円筒形の送液管、７は各送液管６の周面で放射方向に取付けられた３個の洗浄ノズル、８は洗浄ブース２の外側に配置され洗浄ノズル７を揺動させるための揺動機構、９は洗浄液３の配管、１０はポンプである。８１は揺動機構８における送液管６を揺動させるための揺動ロッド、８２は揺動ロッド８１に連結している連結板、８３は連結板８２と揺動ロッド８１を連結しているピン、８４は連結板８２に連結しているシリンダ、８５は送液管６を洗浄ブース２に回転可能に支持するベアリング、８６はベアリング押えである。特に、実施の形態１では各段の送液管６に設けられた３個の洗浄ノズル７のうち、真ん中の洗浄ノズル７は水平方向の両側の洗浄ノズル７と取付角θが１５°程度ずれて取付られている（詳しくは図４）。
【００１０】
（実施の形態１の動作）の説明
上述のような構造の実施の形態１の動作を、次に説明する。
左右の洗浄ブース２の間に、洗浄すべきスクリーン版１が挟着されてセットされる。ポンプ１０から送りこまれた洗浄液３が配管９と送液管６を通り、洗浄ノズル７よりスクリーン版１の表裏両面に噴射される。同時に、揺動機構８のシリンダ８４が駆動されると連結板８２が上下動して、揺動ロッド８１を介して送液管６上の洗浄ノズル７が揺動的な首振り動作を行うことになる。
【００１１】
この際、本発明では図４のように上中下の各段の送液管６上の真ん中の洗浄ノズル７が、何れも両側の洗浄ノズル７に対して取付角がθだけずれて設けられている。したがって、図５で表わされているように、揺動動作の上昇時には真ん中の洗浄ノズル７の投射像が隣接する左右の投射像から僅かに離れて先行する。また、下降時には逆に洗浄ノズル７の投射像が、左右の投射像に接近して追随することになる。よって、隣接する洗浄ノズル７から噴射される洗浄液３の衝突が回避されて、洗浄液３や駆動エネルギーを効率よく利用することが可能になる。
【００１２】
実施の形態２
本発明における実施の形態２でも、実施の形態１で図１〜３を引用して説明した構造の洗浄装置が利用されているので再説明を省略する。但し、実施の形態２では両側の揺動機構８の揺動周期に位相差を設けて、表裏両側の洗浄面の洗浄を時間的にずらせて行うような方法が設定されている。
【００１３】
（実施の形態２の動作）の説明
一方、上記のように実施の形態２ではスクリーン版１の両側で洗浄ノズル７を揺動させる揺動機構８の揺動周期に、位相差が設けられている。このため、両側のシリンダ８４のうちで、例えばシリンダ８４がスクリーン版１の表面（前面）側の洗浄ノズル７を先に揺動させて、その後少し時間をおいてからシリンダ８４で裏面側の洗浄ノズル７の揺動動作が行なわれる。この位相差を設定した洗浄動作によって、表側の洗浄ノズル７から噴射された洗浄液でスクリーン版１のスリットに詰まったペーストが裏面側に押し出されて垂れ下がる。その後、裏面側に押し出されたペーストが続いて動作する裏面側の洗浄ノズル７の洗浄液３の噴射により洗い流されて、洗い残しなく綺麗に洗浄されることになる。
【００１４】
なお、上述の実施の形態では洗浄ブースの内部に送液管を水平方向に３本設置して、各送液管に３個ずつの洗浄ノズルを取付け場合を例示したが、送液管の設置の方向や本数及びスクリーン版の大きさや数量にも特に制限がなく、多重構造の洗浄装置を構成することも可能である。また、洗浄ノズルを揺動させる揺動機構の構造も実施の形態に限るものではなく、電動機やカム等の公知の駆動素子に替えるようにしてもよい。
【００１５】
【発明の効果】
本発明は、密封状態の洗浄室内で水平方向の送液管の周辺に放射方向に取り付けられた複数の洗浄ノズルから洗浄液を噴射して、洗浄ノズルを周期的に揺動させて洗浄室内にセットされたスクリーン版の洗浄面を洗浄するスクリーン版の洗浄装置であって、複数の洗浄ノズルにおける隣接する洗浄ノズルの取付角に差を設けたスクリーン版の洗浄装置を構成した。
この結果、送液管に取り付けられた洗浄ノズルのうちの隣接した洗浄ノズルの取付角がずれているので、噴射された洗浄液の周辺部の重なり合いに伴う噴射圧の減少がなくなり強力な噴射圧をスクリーン版まで到達させることができる。同時に、洗浄ノズルの揺動動作によりスクリーン版全面に洗浄液を吹き掛けることができ、スクリーン版をむら無く洗浄することができる。
【００１６】
また、本発明は、密封状態の洗浄室内で水平方向の送液管の周辺に放射方向に取り付けられた洗浄ノズルから洗浄液を噴射して、洗浄ノズルを周期的に揺動させて洗浄室内にセットされたスクリーン版の表裏両側の洗浄面を洗浄するスクリーン版の洗浄装置の洗浄方法であって、表裏両側の洗浄ノズルにおける揺動周期に位相差を設けて洗浄するスクリーン版洗浄装置の洗浄方法を採用したものである。
この結果、揺動周期の位相差により、例えばスクリーン版の前面側を先に洗浄して、裏面側をその直後に洗浄するという洗浄方法によりスクリーン版を貫通するスリットに詰まったペースト等を効果的に洗浄できる。
【００１７】
よって、本発明の改良によれば、前記特許発明の効果に更に「低コストで効果的な洗浄が実施できる」という効果を加算したスクリーン版の洗浄装置及び洗浄方法を提供することができる。
【図面の簡単な説明】
【図１】本発明の実施の形態１の構成断面図である。
【図２】図１の拡大斜視図である。
【図３】揺動機構の側面図である。
【図４】実施の形態１の要部の説明図である。
【図５】実施の形態１の動作説明図である。
【図６】実施の形態２の動作説明図である。
【図７】従来の洗浄装置の構成断面図である。
【図８】従来の洗浄装置の動作説明図である。
【図９】従来の洗浄装置の別の動作説明図である。
【符号の説明】
１  スクリーン版
２  洗浄ブース
３  洗浄液
４  パッキンガイド
５  パッキン
６  送液管
７  洗浄ノズル
８  揺動機構
９  配管
１０  ポンプ
８１  揺動ロッド
８２  連結板
８３  ピン
８４  シリンダ
８５  ベアリング
８６  ベアリング押さえ
Ｄ  付着物
Ｆ  投射像
Ｓ  スリット
Ｒ  洗浄室
θ  取付角
【図１】
2004230865.tif 000003
【図２】
2004230865.tif 000004
【図３】
2004230865.tif 000005
【図４】
2004230865.tif 000006
【図５】
2004230865.tif 000007
【図６】
2004230865.tif 000008
【図７】
2004230865.tif 000009
【図８】
2004230865.tif 000010
【図９】
2004230865.tif 000011